(57)【特許請求の範囲】
【請求項１】
キャップは容器口部に装着されるキャップ本体と該キャップ本体の振出孔を覆う蓋体とからなり、該蓋体は前板部と後板部とがヒンジ機能を有する薄肉部で連設されると共に該前板部と後板部はそれぞれ回動軸を有し、後板部の回動軸はキャップ本体の軸受けに枢着されると共に、前板部の回動軸はキャップ本体の前後方向に延在する長孔に枢着されるように組み合わされていることにより、前記蓋体中間部が下方に押圧されると後方の回動軸は単純に回動し前方の回動軸は長孔内を後方に摺動しながら回動して前記ヒンジ部がＶ字状に曲折し、蓋体の前板部がほぼ９０°撥ねあがりつつ後方に移動してキャップ本体の振出孔を開放することを特徴とする２ピース粉体振出容器用キャップ。
【請求項２】
蓋体の後板部は断面Ｌ字状に形成されており、ヒンジ部がＶ字状に曲折しキャップ本体の振出孔を開放した状態では前記蓋体の後板部の端がキャップ本体の側面から突出するように回動軸が位置決めされていることで、この突出した蓋体の後板部の端を押圧することにより前記蓋体が閉塞される請求項１に記載の２ピース粉体振出容器用キャップ。
【請求項３】
蓋体の後板部外面の薄肉部近傍に押圧用凸部が形成されており、該押圧凸部を押圧すると前記蓋体のヒンジ部がＶ字状に曲折して前板部の先端が撥ねあがりキャップ本体の振出孔が開放される請求項１または２に記載の２ピース粉体振出容器用キャップ。
【発明の詳細な説明】
【０００１】
【発明の属する技術分野】
本発明は、胡椒や食塩といった調味料用に多く用いられる振り出しタイプの粉体容器のプラスチックキャップに関するものである。ただし、本発明の振出用キャップは調味料容器に限られずふりかけ食品、洗剤、添加薬品、肥料といった粉体の容器用キャップとして広く用いることができる。
【０００２】
【従来の技術】
料理等において使われる調味料の容器は一方の手でフライパンや鍋をつかんだり食物を扱いながら使用されることが多いため、機能的に片手で持って親指等でキャップを開き、そのまま片手で振出使用ができて使用後も親指等でキャップが閉められて元の位置に返せる、所謂ワンタッチ操作で扱えるものが求められている。そして従来から、その要望に対応したキャップは種々開発され使用されているが、一般には３ピースの部品からなるものが多く、ワンタッチ操作を実現するため金属製のスプリングを使用したものもある。部品としては少ない方が金型の数が少なくて済む分コスト的にも有利であるし、部品が少ない分組立て負担についても軽いものとなる。プラスチックのキャップ本体と金属製の部品とが組み合わされた異質材料からなるものは廃棄の際分解して分別処理しなければならないといった問題をもっている。このような要望の中で本出願人は先にプラスチック材の２ピースからなるキャップを開発し、実用新案登録（登録２０６００１０号）を受けている。これは図５に示した形態のもので、「天部に振出孔21を有するキャップ本体２と、前記キャップ本体２に枢支されて振出孔21を開閉可能に覆う蓋体３とからなり、前記蓋体３の枢支部から後方に位置する後板部32の押し下げにより、蓋体３の枢支部から前方に位置して振出孔21を覆う前板部31が上方に回動して前記振出孔21を開放する構成としたキャップ１において、前記後板部32裏面から前板部31方向に向けて湾曲したバネ状部33を介して枢軸34を蓋体３に設け、かつ前記枢軸34近傍の前板部31裏面に突堤35を設け、前記キャップ本体２には、前記枢軸34端部を支持する軸受け部23の近傍に、前記突堤35が付勢状態で移動可能に当接する当て部24を設け、該当て部24に、蓋体３の閉状態時（Ａに図示）に前記突堤35が係脱可能に係止する第１の凹部25と、蓋体３の最大の開状態時（Ｂに図示）に前記突堤35が係脱可能に係止する第２の凹部26とを設けたことを特徴とする振出容器用キャップ。」である。これは部品がプラスチック製のキャップ本体２と蓋体３からなる２ピースと少なく、金属等の異質材を含まないので、その点で好ましいものであったが、構造的に蓋体の開き角度が制限され、振り出しの際調味料が蓋にかかってしまうというという問題をもっていた。
【０００３】
【発明が解決しようとする課題】
本発明の目的課題は、これらの問題点を解決するものすなわち、ワンタッチ操作機能を有し、構成部材は２ピースからなり異質材を含まず、蓋体は十分な開き角度が確保できる振出容器用のプラスチックキャップの提供にある。
【０００４】
【課題を解決するための手段】
本発明の２ピース粉体振出容器用キャップはプラスチック材の容器口部に装着されるキャップ本体と該キャップ本体の振出孔を覆う蓋体とからなり、該蓋体は中間部にヒンジ機能を有する薄肉部を介在させると共に該薄肉部の前後に２つの回動軸を有し、後方の回動軸はキャップ本体の軸受けに枢着されると共に、前方の回動軸は前後方向に延在するキャップ本体の長孔に枢着されるように組み合わされていることにより、前記蓋体が下方に押圧されると後方の回動軸は単純に回動し前方の回動軸は長孔内を後方に摺動しながら回動して前記ヒンジ部がＶ字状に曲折し、蓋体の前板部がほぼ９０°撥ねあがりつつ後方へ移動してキャップ本体の振出孔を広く開放する。
【０００５】
【発明の実施の形態】
本発明の振出容器用キャップは、２ピースという少ない部品で振出孔を広く開放する蓋を提供するため、蓋の開閉機構に工夫を施したものである。図５に示した先の実用新案のものを改良して蓋の開き角度を大きく採ろうとすると後板32の端部が当接するキャップ本体の凹陥部22を深くしなければならず、その分キャップの寸法が高くなって大型化してしまうという問題にぶつかる。しかし、振出孔を広く開放するには蓋体３全体を大きく回動させる必要はなく、振出孔21を閉塞している前板部21部分が９０度回動すれば足りることに鑑み、蓋体３は一体成形品としつつも中間に薄肉部を設けて前板部31と後板部32とに分け、該薄肉部のヒンジ作用により前板部31を大きく開かせるように構成することに想到した。
【０００６】
蓋体３の前板部31が全開の状態において振出孔21のある天部に対し９０度の開き角度を確保するためには薄肉部を中心にＶ字状に屈曲させ、ヒンジ作用により該薄肉部を９０度プラス後板部32の回動角α分だけの回動が必要となる。前板部31と後板部32の動きは後板部32が薄肉部側を下方にいかせるように回動するに伴い前板部31は該薄肉部を中心に逆方向に回動する関係となる。図１にモデルを示して本発明の機構を説明する。後板部32は回動軸34を中心に回動させると蓋体３の薄肉部36は常にキャップ本体２に設けられた回動軸34を中心とした半径Ｒ１の円周上にある。ここでＲ１は該回動軸34と薄肉部36間の距離である。そのような関係のもとで、蓋体３が閉塞状態にあるとき（Ｉ）は実線で描かれたように前板部31と後板部32は位置平面上にあるが、蓋体３が全開状態にあるとき（III）は一点鎖線で描かれたように前板部31は振出孔21のある天部20に対し９０度の開き角度となり、後板部32はαの角度となるようにしたい。なお、蓋体３が中途位置にあるとき（II）の状態を破線で図示した。
【０００７】
そこで本発明は前板部31にも薄肉部36から所定距離Ｒ２ 離れた位置に回動軸37を設け、蓋体３が閉塞状態にあるときの前記回動軸37のある位置と全開状態にあるときの前記回動軸37のある位置を結んで前後方向に延在する長孔27をキャップ本体２に設けて前記回動軸37をガイドさせるようにした。この機構により、蓋体３の後板部32を押圧して図面上で反時計方向に回動させると薄肉部36が円周上を後下方向に移動され、該薄肉部36には前板部31が繋がっているため該前板部31もその方向に牽引される。ところが、この前板部31には薄肉部36から所定距離Ｒ２ 離れた位置に回動軸37が設けられ、該回動軸37はキャップ本体２に設けた長孔27にガイドされるため、前後方向の変位を許容しつつ薄肉部36のヒンジ作用によりこの前板部31を時計方向に回動して全開状態まで変位させる。閉塞動作はα角だけ傾いている蓋体３の後板部32の端を押圧すれば、該後板部32は図面上で時計方向に回動し、薄肉部36が円周上を前上方向に移動され、該薄肉部36には前板部31が繋がっているため該前板部31もその方向に押し上げられる。ところが、この前板部31には薄肉部36から所定距離Ｒ２ 離れた位置に回動軸37が設けられ、該回動軸37はキャップ本体２に設けた長孔27にガイドされるため、前後方向の変位を許容しつつ薄肉部36のヒンジ作用によりこの前板部31を反時計方向に回動して閉塞状態まで変位させる。このように本発明の機構は後板部32を押圧回動させるワンタッチ操作により簡単に蓋体を開閉できる機構である。また、２ピースのプラスチック部材からなるものであるが、蓋体３の全開状態は振出孔21のある天部に対し９０度の開き角度を確保するものであるから、従来のもののように蓋体が振出の障害になることはないものである。
【０００８】
【実施例１】
本発明の一実施例を図２乃至図４を参照しつつ詳細に説明する。図２Ａは本実施例のキャップ１の全開状態を斜視図で示したものであり、Ｂは蓋体３のそしてＣはキャップ本体２の部品毎の斜視図である。蓋体３がキャップ本体２を閉塞した状態のキャップ１は円筒状で頂部が緩い凸状の球面となった外形をなしている。蓋体３は前板部31と後板部32が薄肉部36で連接されて形成されている。前板部31と後板部32には回動軸34,37が設けられ、キャップ本体２の長孔27と軸受け部23とそれぞれ嵌め込み組み合わされている。またこの実施例では蓋体３の内面にはキャップ本体２の振出孔21と嵌合して目詰まりを防止する複数の突条38が、蓋体３の外面には後板部32の薄肉部36近傍に蓋を解放するための押圧用凸部が形成されている。そして、この後板部32の断面形状はＬ字状に形成されており、該端部は蓋の閉塞時にはキャップ円筒部の一部となっているが、Ａに図示した蓋の全開状態ではこの部分が円筒部から突出するように回転変位する。
【０００９】
図３Ａは本実施例の蓋体３の中心線位置での断面図であり、蓋体３の閉塞状態を実線で、開放状態を２点鎖線で示している。この断面図に示されるようにキャップ本体２の筒部下方には雌ねじ28が切られており、図示していない容器口部の雄ねじと螺合して装着されるようになっている。またキャップ本体２は可動部分を持たず、頂部の中央に蓋体３をはめ込む一条の凹溝部が形成され、図４Ｂに示すキャップ本体２のみの断面図からわかるようにその凹溝部前方の天部に振出孔21が後方には蓋体後板部32のＬ字状端部を収納するように凹陥部22が形成されている。そして、この蓋体３をはめ込む凹溝部後方の壁部両側には蓋体後板部32の回動軸34が枢着される軸受け部23と蓋体前板部31の回動軸37が嵌合ガイドされる長孔27が穿設されている。このキャップ本体２は一つの金型によりポリプロピレン等適宜のプラスチックで一体成形される。
【００１０】
図４にもう一方の部品である蓋体２を示し、Ａは上面図、Ｂは正面図、Ｃは底面図である。この蓋体２は前板部31と後板部32とが薄板部36で連接され、やはり一つの金型によりキャップ本体２と同質のポリプロピレン等適宜のプラスチックで一体成形される。しかし、この蓋体２は薄板部36がヒンジ作用を有しているため前板部31と後板部32とがＶ字状に折り曲げられる可動部を有したものとなる。前板部31は図２Ｂの斜視図からわかるように薄板部36近傍で断面Ｕ字状に側面を形成され、該側面外側に回動軸37が設けられている。また、前述したように前板部31の内面にはキャップ本体２の振出孔21と嵌合して目詰まりを防止する複数の突条38が形成されている。後板部32は図２Ｂの斜視図からわかるように全体にわたり断面Ｕ字状に側面を形成され、該側面外側のＬ字の角部近傍に回動軸34が設けられており、後板部32の外面には薄肉部36近傍に蓋を解放するための押圧用凸部39が形成されている。なお、前板部31と後板部32両者間に介在される薄板部36はヒンジ作用を持たせるものであるから、側面部を有していないことは勿論である。
【００１１】
２ピースの成型品として作られたキャップ本体２と蓋体３は、蓋体３をはめ込むべくキャップ本体２の凹溝部後方の壁部両側に穿設された長孔27に蓋体前板部31の回動軸37が嵌められ、さらに同じく凹溝部後方の壁部両側に穿設された軸受け部23には蓋体後板部32の回動軸34がはめ込まれて組み立てられる。この作業は両部品の弾性を利用して行われるが、前後方向に摺動して自由度を有している長孔27と蓋体前板部31の回動軸37との嵌合を先に行う方が作業の利便性はよい。組み立てられたキャップ１は使用に際し、片手で握られ親指等で蓋体３の外面に形成された押圧用凸部39を押圧すると、蓋体後板部32が軸受け部23に枢着された回動軸34を中心に図３Ａにおいて反時計方向に回動し、薄板部36が下後方に変位する。この蓋体後板部32は薄板部36を介して蓋体前板部31と連接されているので、蓋体前板部31も薄板部36側が下後方に牽引されるが、この蓋体前板部31は回動軸37がキャップ本体２の長孔27に嵌合されているので前後方向の摺動を許容しつつ薄板部36の回動に追従する。この薄板部36の回動と回動軸37長孔27間の摺動が蓋体前板部31の動きを左右するものとなり、蓋体３は薄板部36がＶ字状に屈曲し、蓋体前板部31が図３中で時計方向に回動され、２点鎖線で示したように振出孔21があるキャップ本体２の天部20面に対し約９０度の位置まで跳ね上がって該振出孔21が広く開かれる。このとき、薄肉部36と接する蓋体前板部31の後端部は図３Ａから判るようにキャップ本体２に設けられた凹陥部22の段部と当接し係止状態となるが、この形態は蓋の開放状態を安定させるために有効に作用することになる。また、後板部32の端部はキャップ本体２の円筒面から突出した形態をとるようになる。振出使用後はキャップ本体２の円筒面から突出した蓋体後板部32の端部を親指等で押圧すると、今度はＬ字状の蓋体後板部32は時計方向に回動され、これに伴い蓋体前板部31は反時計方向に回動されると共に長孔27にガイドされ前方に摺動して振出孔21を閉塞する。このように本実施例の振出容器用キャップは片手で握ったまま、親指等で押圧用凸部39を押圧して振出孔21を解放し、蓋体後板部32の端部を親指等で押圧して閉塞する所謂ワンタッチ操作の仕様が実現できるものである。
【００１２】
【発明の効果】
本発明の振出容器用キャップは、容器口部に装着されるキャップ本体と該キャップ本体の振出孔を覆う蓋体とからなり、該蓋体は前板部と後板部とがヒンジ機能を有する薄肉部で連設されると共に該前板部と後板部はそれぞれ回動軸を有し、後板部の回動軸はキャップ本体の軸受けに枢着されると共に、前板部の回動軸はキャップ本体の前後方向に延在する長孔に枢着されるように組み合わされることにより、容器を握った状態で親指等で前記蓋体中間部が下方に押圧されると後方の回動軸は単純に回動し前方の回動軸は長孔内を後方に摺動しながら回動して前記ヒンジ部がＶ字状に曲折し、蓋体の前板部が撥ねあがりキャップ本体の振出孔を開放するように作動し、蓋を閉めるときは後板部の端部を親指等で押圧して戻すように回動すれば前記ヒンジ部の屈曲が伸びて前板部31が振出孔を閉塞するように作動してワンタッチ操作機能を実現する。そして、蓋体の後板部上面の薄肉部近傍に押圧用凸部を形成すると、指の安定性や力の掛かる位置を適正にでき、蓋の解放時の操作がさらに便利となる。しかも振出孔の開放度は従来の２ピース製品に比べて大きくすることができ、振出に際し粉体が蓋の裏面にかかることがないものである。
【００１３】
そして、この機構を採用した本発明の振出容器用キャップは、２ピースからなる成型品であるため、金型も２つで済み、従来の３ピース品に比べ、金型製造費用と製品製造コストさらには部品検査の手間や組み立て作業の手間を低く押さえることができる。しかも２ピースの部材は同じ材質のプラスチックで作ることができるため、廃棄時においても従来の異質材料を含むもののように分解して分別処理する必要はなく、リサイクルにも適している。
【図面の簡単な説明】
【図１】本発明の蓋開閉機構をモデル化した図。
【図２】Ａは本発明の実施例でキャップ全体斜視図、Ｂは蓋体の斜視図、Ｃはキャップ本体の斜視図である。
【図３】Ａは本発明の実施例の蓋体中心線部での断面図、Ｂはキャップ本体のみの断面図。
【図４】Ａは本発明の実施例の蓋体上面図であり、Ｂはその正面図、Ｃは底面図である。
【図５】従来の２ピース振出容器用キャップを示す図で、Ａは蓋閉塞時の形態を、Ｂは蓋全開時の形態を示す図である。
【符号の説明】
１  キャップ                ３  蓋体
２  キャップ本体              31  前板部
20  天部                    32  後板部
21  振出孔                  34  回動軸
22  凹陥部                  36  薄肉部
23  軸受け部                37  回動軸
27  長孔                    38  突条
28  雌ねじ                  39  押圧用凸部
【図１】
0004485000.tif 000002
【図２】
0004485000.tif 000003
【図３】
0004485000.tif 000004
【図４】
0004485000.tif 000005
【図５】
0004485000.tif 000006